(57)【要約】【課題】ファンユニットの吹出し部の風の流れに対し、抵抗が少なく、かつヒーター線全体に風を当てられるようにして、ヒーター線の局部的な温度上昇を防止し、ヒーター線の寿命時間を伸ばすことができる気化式加湿器を提供する。【解決手段】水槽２内の水に下部が浸り水を上部へ吸い上げる気化エレメント４と、吸込口７から吸気し、前記気化エレメント４を通して吹出口８から外部に放出するファンユニット５と、前記気化エレメント４よりも上流にあり、前記ファンユニット５の吹出し部５ｄに設置されたヒーターユニット６とを備え、前記ヒーターユニット６は、ヒーター線９と、ヒーター線９を保持するヒーター取付板１０，１１と、ヒーター取付板１０，１１を保持する板金製外枠１２を有し、前記ヒーター取付板１０，１１及び板金製外枠１２は前記ファンユニット６の吹出し部５ｄにおいて、風の流れる方向と同じ方向に傾斜させて設けた。【選択図】　　　　図１
2004085079.tif 000002
【特許請求の範囲】
【請求項１】
水を収容する水槽と、この水槽に着脱自在に装着され、この水槽内の水に下部が浸り水を上部へ吸い上げる気化エレメントと、吸込口から吸気し、その吸気を前記気化エレメントを通して吹出口から外部に放出するファンユニットと、前記気化エレメントよりも上流にあり、前記ファンユニットの吹出し部に設置されたヒーターユニットとを備え、前記ヒーターユニットは、コイル状のヒーター線と、このヒーター線を外部と電気的に絶縁して保持するヒーター取付板と、このヒーター取付板を囲繞して保持する板金製外枠とを有し、前記ヒーター取付板及び板金製外枠は前記ファンユニットの吹出し部において、風の流れる方向と同じ方向に傾斜させて設けたことを特徴とする気化式加湿器。
【請求項２】
前記ヒーターユニットは、板金製外枠の一部を延設して前記ファンユニットのスクロール舌部を覆う舌部を有することを特徴とする請求項１記載の気化式加湿装置。
【請求項３】
前記ヒーターユニットは、ヒーター線を保持するヒーター取付板のヒーター線上方部に位置して設置された温度ヒューズを有することを特徴とする請求項１記載の気化式加湿装置。
【発明の詳細な説明】
【０００１】
【発明の属する技術分野】
本発明は、水槽の水を吸い上げた気化エレメントにヒーターで加熱した空気を接触させて気化し加湿する気化式加湿器に関するものである。
【０００２】
【従来の技術】
従来、この種の気化式加湿器の一例として、特開２００２−６１９０１号公報に示されるものが知られている。
上記特開２００２−６１９０１号公報に示された気化式加湿器は、吸込口と吹出口を結ぶ本体内の空気流路内に、送風機、ヒーター、加湿フィルターを設け、前記加湿フィルターの下部を水槽ユニットの中に入れられた水に浸し、加湿フィルターが水槽ユニット内の水を吸い上げて水分を含んだ状態で、送風機およびヒーターに通電することで、加湿フィルターの内部を送風が通過するときに、空気の蒸気圧の差で加湿フィルター内の水分が空気に拡散し、湿度の高い空気として吹き出させる構成となっている。
【０００３】
【発明が解決しようとする課題】
上記従来の気化式加湿器では、ヒーター線を外部と絶縁して保持するヒーター取付板（マイカ板）及びこれを囲繞して保持する板金製外枠の形状は直方体で構成されていた。これに対し、送風機の吹出し部の風の流れは、吹出し部のすべての場所でまっすぐではなく、送風機のスクロール舌部に近いほど角度が広がり大きくなる。このため、スクロール舌部付近のヒーター取付板（マイカ板）や板金製外枠が、風の流れに対し大きな抵抗となり、送風音を大きくしたり、ヒーター線全体に送風が当たらずに、ヒーター線の局部的な温度上昇が発生し、ヒーター線の寿命短縮を招く恐れがあった。
【０００４】
本発明は、上記問題点を解消するためになされたもので、ヒーター線を保持するヒーター取付板（マイカ板）及びその板金製外枠を送風ファンユニットの吹出し部において、風の流れの抵抗を少なくするように構成することで、送風音の低減化とヒーター線の寿命短縮の防止が図れる気化式加湿装置を提供することを目的としている。
【０００５】
【課題を解決するための手段】
本発明の気化式加湿装置は、水を収容する水槽と、この水槽に着脱自在に装着され、この水槽内の水に下部が浸り水を上部まで吸い上げる気化エレメントと、吸込口から吸気し、その吸気を前記気化エレメントを通して吹出口から外部に放出するファンユニットと、前記気化エレメントよりも上流にあり、前記ファンユニットの吹出し部に設置されたヒーターユニットとを備え、前記ヒーターユニットは、コイル状のヒーター線と、このヒーター線を外部と電気的に絶縁して保持するヒーター取付板と、このヒーター取付板を囲繞して保持する板金製外枠とを有し、前記ヒーター取付板及び板金製外枠は前記ファンユニットの吹出し部において、風の流れる方向と同じ方向に傾斜させて設けたことを特徴とする。
【０００６】
また、本発明の気化式加湿装置は、前記ヒーターユニットは、板金製外枠の一部を延設して前記ファンユニットのスクロール舌部を覆う舌部を有することを特徴とする。
【０００７】
さらに、本発明の気化式加湿装置は、前記ヒーターユニットは、ヒーター線を保持するヒーター取付板のヒーター線上方部に位置して設置された温度ヒューズを有することを特徴とする。
【０００８】
【発明の実施の形態】
実施の形態１．
以下、本発明の実施の形態１を図面に基づいて説明する。
図１は本発明による気化式加湿器の実施の形態１を示す構成図、図２は本発明による気化式加湿器の実施の形態１を示す横断面図、図３は本発明の実施の形態１におけるヒーターユニットの上面図、図４は本発明の実施の形態１におけるヒーターユニットの断面図、図５は本発明の実施の形態１における板金製外枠の上面図、図６は本発明の実施の形態１における板金製外板の横断面図、図７は本発明の実施の形態１におけるヒーター線及びヒーター取付板の上面図、図８は本発明の実施の形態１におけるヒーター線及びヒーター取付板の横断面図である。
図１，図２において、１は加湿器の本体、２はこの本体１内下部に設けられた水槽、３はこの水槽２に水を供給する水タンク、４は前述の水槽２に固定され、この水槽２内の水に下部が一定量浸り、水を上部まで吸い上げる気化エレメント、５は前述の気化エレメント４を通して送風を外部に放出するファンユニットで、モータ５ａ、ファン５ｂ、ファンケース５ｃ等から構成され、本体１にネジ止めで固定されている。６は前述の気化エレメント４よりも上流にあり、前述のファンユニット５の吹出し部５ｄに設置されたヒーターユニット、７は外気の吸込口、８は前述の本体１から外部へ送風を吹き出す吹出口である。
【０００９】
図３〜図８に示すように．前記ヒーターユニット６は、鉄クロム線等からなるコイル状のヒーター線９、このヒーター線９を外部と電気的に絶縁して保持する短手方向のヒーター取付板１０、同じくヒーター線９を外部と電気的に絶縁して保持する長手方向のヒーター取付板１１、このヒーター取付板１１，１２を囲繞して保持する板金製外枠１２、この板金製外枠１２の内側に設けられた電気絶縁板１３、長手方向中央のヒーター取付板１１に取付けた温度ヒューズ１４等で構成される。
また、前記短手方向のヒーター取付板１０及び板金製外枠１２の一部は前記ファンユニット５の吹出し部５ｄにおいて、風の流れる方向と同じ方向に傾斜させている。また、前記板金製外枠１２には傾斜させている側の上部を延設して前記ファンユニット５のスクロール舌部５ｅを覆う舌部１２ａを設けている。
さらに、前記温度ヒューズ１４は長手方向のヒーター取付板１１のヒーター線９上方部に位置して設置されている。なお、１５は水タンク３に対応して水槽２の一側部に設けられているタンク受部である。
【００１０】
次に、上記の構成からなる本発明の実施の形態１の動作について説明する。
水タンク３内の水は、タンク受部１５で受けられ、水槽２に供給される。水槽２内に水があるのを確認した後、運転スイッチ（図示せず）をオンすることにより、湿度が低い場合は、ヒーターユニット６に通電することにより、気化エレメント４を通る風はヒーター線９で加熱されて温風となる。また、運転スイッチのオンと同時に、ファンユニット５のモータ５ａに通電されてファン５ｂが回転し、吸込口７から外気が吸い込まれ、ヒーターユニット６と気化エレメント４を通過して吹出口８より外部に放出される。ヒーターユニット６を送風が通過するとき、ヒーターユニット６の板金製外枠１２はその前記スクロール舌部５ｅ側を風の流れる方向に傾斜し、さらに、ヒーター線９を保持する短手方向のヒーター取付板１０も風の流れる方向に傾斜していることで、風の流れに対する抵抗が少なく、かつヒーター線９全体に送風が当たる。また、前記気化エレメント４は、水槽２内の水を吸い上げ濡れているので、気化エレメント４を通過した空気は、湿気を帯び、湿気を多く含んだ空気が吹出口８から放出される。
【００１１】
ここで、上記実施の形態１では、ヒーターユニット６の上部にあるファンユニット５のスクロール舌部５ｅの外側をヒーターユニット６の板金製外枠１２の一部を延設した舌部１２ａで覆われているため、万一、ファンユニット５のファン５ｂの回転が停止してヒーター線９が発熱しているような異常状態が起きても、合成樹脂等で形成されることが多いファンユニット５のスクロール舌部５ｅは前記板金製の舌部１２ａで遮熱され、スクロール舌部５ｅの温度上昇が抑えられて、スクロール舌部５ｅの過熱による変形や延焼を未然に防止できる。
【００１２】
また、ヒーターユニット６でヒーター線９の上部に配置できるように、ヒーター線９を保持する長手方向中央のヒーター取付板１１の上方部に温度ヒューズ１４を設置したことで、ファンユニット５の回転が停止してヒーター線９が発熱しているような異常状態が起きた場合に、ヒーター線９で発生した上昇熱を瞬時に受け、この異常事態をすばやく感知して、ヒーター線９への通電を遮断して安全を確保することができる。
【００１３】
【発明の効果】
以上のように、本発明によれば、ファンユニットの吹出し部において、ヒーターユニットが風の流れに対して抵抗が少ないため、送風音を下げることができ、かつヒーター線全体に風を当てることで、ヒーター線の局部的な温度上昇を抑制して、ヒーター線の寿命短縮を防止することができるという効果が得られる。
【００１４】
また、ファンユニットのスクロール舌部を、ヒーターユニットの板金製外枠の一部を延設して形成した舌部で覆う構成としたことで、ファニュニットのファンの回転が停止してヒーター線が発熱しているような異常状態が起きても、ファンユニットのスクロール舌部の温度上昇を抑えて、過熱による変形や延焼を未然に防止できる。
【００１５】
また、温度ヒューズをヒーター線を保持する長手方向のヒーター取付板のヒーター線上方部に位置して設置したことで、ファンの回転が停止してヒーター線が発熱しているような異常状態が起きた場合に、この異常事態をすばやく感知して、ヒーター線への通電を遮断して安全を確保することができる。
【図面の簡単な説明】
【図１】本発明による気化式加湿器の実施の形態１を示す構成図である。
【図２】本発明による気化式加湿器の実施の形態１を示す横断面図である。
【図３】本発明の実施の形態１におけるヒーターユニットの上面図である。
【図４】本発明の実施の形態１におけるヒーターユニットの断面図である。
【図５】本発明の実施の形態１における板金製外枠の上面図である。
【図６】本発明の実施の形態１における板金製外枠の横断面図である
【図７】本発明の実施の形態１におけるヒーター線及びヒーター取付板の上面図である。
【図８】本発明の実施の形態１におけるヒーター線及びヒーター取付板の横断面図である
【符号の説明】
１　加湿器の本体、２　水槽、３　水タンク、４　気化エレメント、５　ファンユニット、５ａ　モータ、５ｂ　ファン、５ｃ　ファンケース、５ｅ　スクロール舌部、６　ヒーターユニット、７　吸込口、８　吹出口、９　ヒーター線、１０　短手方向のヒーター取付板、１１　長手方向のヒーター取付板、１２　板金製外枠、１２ａ　舌部、１３　電気絶縁板、１４　温度ヒューズ。
【図１】
2004085079.tif 000003
【図２】
2004085079.tif 000004
【図３】
2004085079.tif 000005
【図４】
2004085079.tif 000006
【図５】
2004085079.tif 000007
【図６】
2004085079.tif 000008
【図７】
2004085079.tif 000009
【図８】
2004085079.tif 000010